(57)【要約】      （修正有）【課題】より効率よく使用者に対して図書の貸し出しを行うことができる図書保管管理システムを提供すること。【解決手段】管理装置は、図書の予約を受け付ける予約受付手段と、予約受付手段で受け付けた予約者毎の予約図書を所定のグループに分類するグループ分類手段と、を有し、書庫とステーション１３との間のコンテナ搬送経路１６上には、コンテナ６を収容可能な収容ユニット２２を複数備えた移動棚１４，１５を設け、管理装置は、グループに分類した予約図書が収容されているコンテナ６を、収容ユニット２２に一時保管する。【選択図】図３
2010149995.tif 000002
【特許請求の範囲】
【請求項１】
管理装置の指令に基づき、書庫に収容されている複数の図書が収納された複数のコンテナの中から、目的の図書が含まれているコンテナを取り出してステーションに搬送するとともに、図書の貸し出しまたは返却作業後にステーションより前記書庫に前記コンテナを搬送する図書保管管理システムであって、
前記管理装置は、前記図書の予約を受け付ける予約受付手段と、該予約受付手段で受け付けた予約者毎の予約図書を所定のグループに分類するグループ分類手段と、を有し、
前記書庫と前記ステーションとの間のコンテナ搬送経路上には、前記コンテナを収容可能な収容ユニットを複数備えた移動棚を設け、
前記管理装置は、前記グループに分類した前記予約図書が収容されている前記コンテナを、前記収容ユニットに一時保管することを特徴とする図書保管管理システム。
【請求項２】
前記移動棚は、前記収容ユニットを上下方向に循環回動するように支持していることを特徴とする請求項１に記載の図書保管管理システム。
【請求項３】
前記管理装置は、予約者毎の前記予約図書の貸し出し予定日時を入力する貸出予定日時情報を記憶可能であり、前記管理装置は、前記貸出予定日時情報に基づいて前記コンテナを前記収容ユニットに一時保管することを特徴とすることを特徴とする請求項１または２に記載の図書保管管理システム。
【請求項４】
前記ステーションの近傍には、少なくとも前記移動棚と前記管理装置とが設けられていることを特徴とする請求項１ないし３のいずれかに記載の図書保管管理システム。
【発明の詳細な説明】
【技術分野】
【０００１】
本発明は、管理装置の指令に基づき、書庫に収容され、複数の図書が収納された複数のコンテナの中から、目的の図書が含まれているコンテナを取り出してステーションに搬送する図書保管管理システムに関する。
【背景技術】
【０００２】
従来、多量の蔵書を有する図書館等において、図書館内の地下階に設けられ、複数の図書が収容されたコンテナを複数収容する書棚（書庫）と、この書棚からコンテナを取り出すスタッカークレーンと、スタッカークレーンによって書棚から取り出されたコンテナを図書館の地上階に搬送する垂直搬送機と、垂直搬送機からコンテナを受け取り、地上階に設けられているステーションユニット（ステーション）までコンテナを搬送する走行式移載台車と、を備え、ステーションユニット内で搬送されてきたコンテナから使用者が予約した図書を貸し出すものがある。このような図書保管管理システムは、書棚群から出庫したコンテナを一時的に保管するための水平方向を向く棚を備えるコンテナ待機棚（収容ユニット）を有しており、使用者が予め予約する図書と図書館への来館日時とを指定することにより、使用者の来館前に書棚から使用者の予約した図書が収納されたコンテナを取り出してコンテナ待機棚に保管することによって、使用者がステーションユニットに入室すると、コンテナ待機棚から走行式移載台車によってコンテナをステーションユニット内に搬送し、コンテナが書棚からステーションユニットまで搬送される出庫時間を短縮している（例えば、特許文献１参照）。
【０００３】
【特許文献１】特開２００８−３０９４８号公報（第８頁、第１図）
【発明の開示】
【発明が解決しようとする課題】
【０００４】
しかしながら、特許文献１に記載の図書保管管理システムにあっては、使用者が予約した図書が収納されているコンテナが複数ある場合には、コンテナ待機棚（収容ユニット）の空いているスペースに対してコンテナを個別に一時保管するため、コンテナ待機棚からステーションユニット（ステーション）まで全てのコンテナを搬送するには時間がかかってしまい非効率的であるという問題があった。
【０００５】
本発明は、このような問題点に着目してなされたもので、より効率よく使用者に対して図書の貸し出しを行うことができる図書保管管理システムを提供することを目的とする。
【課題を解決するための手段】
【０００６】
前記課題を解決するために、本発明の請求項１に記載の図書保管管理システムは、
管理装置の指令に基づき、書庫に収容されている複数の図書が収納された複数のコンテナの中から、目的の図書が含まれているコンテナを取り出してステーションに搬送するとともに、図書の貸し出しまたは返却作業後にステーションより前記書庫に前記コンテナを搬送する図書保管管理システムであって、
前記管理装置は、前記図書の予約を受け付ける予約受付手段と、該予約受付手段で受け付けた予約者毎の予約図書を所定のグループに分類するグループ分類手段と、を有し、
前記書庫と前記ステーションとの間のコンテナ搬送経路上には、前記コンテナを収容可能な収容ユニットを複数備えた移動棚を設け、
前記管理装置は、前記グループに分類した前記予約図書が収容されている前記コンテナを、前記収容ユニットに一時保管することを特徴としている。
この特徴によれば、予めステーションの近傍まで予約図書を搬送して、予約者毎に予約図書が収容されているコンテナを収容ユニット内に収容しておくことによって、予約者毎にコンテナを確実に纏めて移動棚に一時保管することができるので、コンテナを収容ユニットからステーションに搬送するまでの時間を短縮でき、予約者毎に効率よく図書の貸し出しを行うことができる。
【０００７】
本発明の請求項２に記載の図書保管管理システムは、請求項１に記載の図書保管管理システムであって、
前記移動棚は、前記収容ユニットを上下方向に循環回動するように支持していることを特徴としている。
この特徴によれば、コンテナを収容する収容ユニットを上下方向に循環回動することができるので、収容ユニットを水平方向に配置するよりも小さい占有面積で移動棚を設けることができるばかりでなく、所望のコンテナを循環回動させて直ちに搬送位置まで移送することができる。
【０００８】
本発明の請求項３に記載の図書保管管理システムは、請求項１または２に記載の図書保管管理システムであって、
前記管理装置は、予約者毎の前記予約図書の貸し出し予定日時を入力する貸出予定日時情報を記憶可能であり、前記管理装置は、前記貸出予定日時情報に基づいて前記コンテナを前記収容ユニットに一時保管することを特徴としている。
この特徴によれば、常に収容ユニット内に貸出予定日時に応じたコンテナを収容して、予約者への予約図書の貸し出しを効率化することができ、返却済みの図書や貸出予定日時を経過した予約図書の収容されているコンテナを書庫に戻すことで、次の予約に備えることができる。
【０００９】
本発明の請求項４に記載の図書保管管理システムは、請求項１ないし３のいずれかに記載の図書保管管理システムであって、
前記ステーションの近傍には、少なくとも前記移動棚と前記管理装置とが設けられていることを特徴としている。
この特徴によれば、使用者はステーションで管理装置の入力手段から制御装置を操作して予約図書の貸出作業を行うことができる。
【発明を実施するための最良の形態】
【００１０】
本発明に係る図書保管管理システムを実施するための最良の形態を実施例に基づいて以下に説明する。
【実施例】
【００１１】
本発明の実施例を図面に基づいて説明すると、先ず図１は、本発明の実施例における図書保管管理システムの全体像を示す側面図であり、図２は、ステーションを示す斜視図であり、図３は、ステーションを示す平面図であり、図４は、ロータリーラックの構成を示す概略図であり、図５は、図書保管管理システムの構成を示すブロック図であり、図６は、蔵書記憶テーブルを示す図であり、図７は、貸出記憶テーブルを示す図であり、図８は、貸出予約記憶テーブルを示す図であり、図９は、返却予約記憶テーブルを示す図であり、図１０は、管理制御回路で行われる予約コンテナ一時保管処理のフローチャートであり、図１１は、管理制御回路で行われる貸出処理及び返却処理のフローチャートであり、図１２は、ディスプレイに表示される貸出処理及び返却処理の初期画面を示す図であり、図１３は、ディスプレイに表示される貸出予約図書の貸出画面を示す図であり、図１４は、ディスプレイに表示される貸出予約図書の貸出確認画面を示す図であり、図１５は、ディスプレイに表示される貸出予約外図書の貸出画面を示す図であり、図１６は、ディスプレイに表示される返却予約図書の返却画面を示す図であり、図１７は、ディスプレイに表示される返却予約図書の貸出確認画面を示す図であり、図１８は、ディスプレイに表示される返却予約外図書の返却画面を示す図である。以下、図１の紙面左側をステーションの正面側とし、図３の紙面下方側をステーションの正面側として説明する。
【００１２】
図１の符号１は、本発明の適用された図書保管管理システムである。この図書保管管理システム１は、図１に示すように、例えば、図書館にて地上階に設けられ、書棚が利用者に公開されている開架書庫２と、図書館の地下階に設けられ、書棚が利用者に公開されていない閉架書庫３との間に亘って設置されており、開架書庫２に収納されている図書を利用者の要求に応じて開架書庫２まで搬送するシステムである。
【００１３】
閉架書庫３には、図書４を収容するための複数の書棚５が配置されている。図５に示すように、これら書棚５には、それぞれに複数の図書４（図２参照）が収納された複数のコンテナ６が収容されている。特に、図書４は文学やスポーツ等の特定の分野毎にジャンル分けされており、１つのコンテナ６に対して同一ジャンルの図書４が収納されるようになっている。
【００１４】
尚、コンテナ６に収納されている図書４には、固有の図書ＩＤが記憶されているＲＦＩＤタグ７が貼り付けられており、後述するコンテナ用タグリーダ８及び図書用タグリーダ９によってＩＤ情報を読み取り可能となっている。本実施例でのＲＦＩＤタグ７は、内蔵したＩＣチップを非接触方式（無線方式）で、後述するコンテナ用タグリーダ８及び図書用タグリーダ９にて読み取らせる公知のパッシブ型のＲＦＩＤタグである。
【００１５】
図１に示すように、図書保管管理システム１は、これら書棚５から図書４が収納されたコンテナ６を取り出すスタッカークレーン１０と、地下階である閉架書庫３と地上階である開架書庫との間を昇降可能とする搬送エレベータ１１と、を備えており、スタッカークレーン１０によって書棚５から取り出されたコンテナ６は、コンベア１２を介して搬送エレベータ１１に受け渡されるようになっている。
【００１６】
また、図書保管管理システム１は、開架書庫２にてコンテナ６に収納されている図書４を受け取るためのステーション１３と、コンテナ６を一時保管するための本発明における移動棚としてのロータリーラック１４，１５と、を備えている。これらロータリーラック１４，１５は、図書４を貸し出すためにコンテナ６を一時保管するように用いる貸出用ロータリーラック１４と、使用者から図書４の返却を受け付けるためにコンテナ６を一時保管するように用いる返却用ロータリーラック１５とする。搬送エレベータ１１によって開架書庫２まで搬送されてきたコンテナ６は、コンベア１６を介してステーション１３及び貸出用ロータリーラック１４又は返却用ロータリーラック１５まで搬送されるようになっている。
【００１７】
このうち、ステーション１３と貸出用ロータリーラック１４及び返却用ロータリーラック１５との間には、ステーション１３と貸出用ロータリーラック１４及び返却用ロータリーラック１５とを隔てる壁Ｗが設けられている。コンベア１６によってステーション１３に搬送されるコンテナ６は、壁Ｗに設けられた図示しない開口を通過して、壁Ｗの正面側であるステーション１３に搬送されるようになっている。
【００１８】
図２及び図３に示すように、ステーション１３の上部は内部が中空である中空部１７に形成されている。この中空部１７内に搬送エレベータ１１側からコンベア１６が延設されており、図書４が収納されているコンテナ６を中空部１７内に搬送可能となっている。更に、ステーション１３の上部正面側には、左右方向に中空部１７を開閉自在なスライド扉１８が取り付けられており、このスライド扉１８を開放することによって、中空部１７に搬送されてきたコンテナ６から図書４を取り出せるようになっている。
【００１９】
尚、中空部１７内の左部には、コンベア１６によって搬送されるコンテナ６に収納されている図書４のＲＦＩＤタグ７から図書ＩＤを読み取るためのコンテナ用タグリーダ８が取り付けられている。このコンテナ用タグリーダ８は、図書ＩＤの読取精度を高めるためにコンテナ６の上方及び前方（正面側）から読み取る略Ｌ字状に形成されている。
【００２０】
尚、コンベア１６は、壁Ｗの背面側である搬送エレベータ１１側から壁Ｗの正面側であるステーション１３の中空部１７内に延設されているとともに、中空部１７内から更に壁Ｗの背面側に延設されている平面視上向きＵ字状に形成されている。
【００２１】
そして、コンベア１６の終端近傍には、貸出用ロータリーラック１４及び返却用ロータリーラック１５が設置されており、搬送エレベータ１１からコンベア１６によってステーション１３に搬送されてきたコンテナ６は、そのままコンベア１６に搬送されることによって、これら貸出用ロータリーラック１４及び返却用ロータリーラック１５の何れかに一時保管可能となっている。
【００２２】
また、図３に示すように、ステーション１３のスライド扉１８の正面側には、使用者がコンテナ６から取り出した図書４を載置するための天板１９が設けられている。この天板１９の左部には、ステーション１３を使用する使用者に対して図書４の貸し出し及び返却作業の指示を行うためのディスプレイ２０が取り付けられている。このディスプレイ２０は、使用者が直接指等を接触させて操作可能なタッチパネル２１を備えている。更に、天板１９には、図書４に貼り付けられているＲＦＩＤタグ７から図書ＩＤを読み取るための図書用タグリーダ９が埋設されている。
【００２３】
図４に示すように、貸出用ロータリーラック１４及び返却用ロータリーラック１５は、内部にコンテナ６を収容可能な収容ユニット２２を複数有している。これら収容ユニット２２は、貸出用ロータリーラック１４及び返却用ロータリーラック１５内に上下方向に配置されたスプロケット２３間に上下方向に循環可能に掛け渡された駆動チェーン２４に支持されている。これらスプロケット２３は、図５に示す駆動モータ２５に接続されており、駆動モータ２５が駆動することによって駆動チェーン２４に支持された収容ユニット２２が上下方向に循環回動可能となっている。
【００２４】
尚、特に図示しないが、これら貸出用ロータリーラック１４及び返却用ロータリーラック１５には、各収容ユニット２２内にコンテナ６が収容されているか否かを判定する対物センサが設けられており、後述する管理制御回路２９は、この対物センサによって収容ユニット２２の空き状況を判断できるようになっている。
【００２５】
一方、図書館の図示しない管理室等には、図５に示すように、閉架書庫３からの図書４の貸し出し及び返却を管理する管理装置２６が設けられている。この管理装置２６は、図６〜図９に示す蔵書管理テーブルと、貸出記憶テーブルと、貸出予約記憶テーブルと、返却予約記憶テーブルと、が記憶されている記憶部２７と、現在時刻を計時するＲＴＣ（リアルタイムクロック）２８と、管理装置２６内で各種制御を行う管理制御回路２９と、から構成されている。
【００２６】
この管理制御回路２９には、ステーション１３のコンテナ用タグリーダ８と、図書用タグリーダ９と、ディスプレイ２０と、タッチパネル２１と、が接続されている。また、貸出用ロータリーラック１４及び返却用ロータリーラック１５の駆動モータ２５と、コンベア１６と、が接続されている。
【００２７】
更に、管理制御回路２９には、閉架書庫３のスタッカークレーン１０と、搬送エレベータ１１と、コンベア１２が接続されている。尚、管理制御回路２９は、ＬＡＮ回線等の通信回線３０を介して図書館内部または図書館外部の複数の本発明における予約受付手段としての予約端末３１に接続されている。
【００２８】
使用者はこれら予約端末３１から管理装置２６に対して所望する図書４の貸出予約と、既に借りている図書４の返却予約と、図書４の貸出または返却を行う予約時間の申請と、を行うことができるようになっている。具体手には、貸出予約がなされた図書４を収納しているコンテナ６は、本発明における予約コンテナとして貸出用ロータリーラック１４の収容ユニット２２に一時保管され、返却予約がなされた図書４を収容するコンテナ６は、予約コンテナとして返却用ロータリーラック１５の収容ユニット２２に一時保管されるようになっている。
【００２９】
図６に示すように、記憶部２７に記憶されている蔵書記憶テーブルには、各図書４が収納されているコンテナ６のコンテナＩＤと、コンテナ６の所在を示すコンテナ状態と、が関連付けられて記憶されている。更に、これらコンテナＩＤとコンテナ状態とに対して、コンテナ６に収納されている図書４の図書ＩＤと、図書４のタイトルと、図書４の貸出状態と、がそれぞれ関連付けられて記憶されている。
【００３０】
このうち、コンテナ状態の『閉架』とは、コンテナ６が閉架書庫３の所定位置に収容されている状態であり、『開架』とは、ステーション１３に搬送されて使用者が図書の貸し出しまたは返却を行っている状態であり、『待機』とは、貸出用ロータリーラック１４または返却用ロータリーラック１５の収容ユニット２２内に収容されている状態である。
【００３１】
また、貸出状態の『在』とは、図書４がコンテナ６内に収納されている状態であり、『貸出』とは、図書４がコンテナ６内から貸し出されている状態であり、『貸出予約』とは、図書４がコンテナ６内に収納されているが、予約端末３１によって図書４の貸し出しが予約されて、予約を行った使用者以外に貸し出すことができない状態である。貸出状態が『貸出予約』となるのは、図書４の貸出状態が『在』のときに予約端末３１から貸し出しの予約がなされたときであって、管理制御回路２９によって書き換えられるようになっている。
【００３２】
更に、『返却予約』とは、図書４がコンテナ６内から貸し出されており、図書４を借りている使用者が予約端末３１によって図書４を返却する日時を指定した状態である。貸出状態が『返却予約』となるのは、図書４の貸出状態が『貸出』のときに予約端末３１から返却の予約がなされたときであって、管理制御回路２９によって書き換えられるようになっている。
【００３３】
また、図７に示すように、記憶部２７に記憶されている貸出記憶テーブルには、図書４を借りた使用者の利用者ＩＤに対して、図書４が収納されていたコンテナ６のコンテナＩＤと、コンテナ６内から貸し出されている図書４の図書ＩＤと、図書４のタイトルと、図書４を貸し出した貸出日と、がそれぞれ関連付けられて記憶されている。
【００３４】
尚、利用者ＩＤは、例えば、使用者が図書館を利用するために図書館に登録した、図示しない利用者カード内に内蔵されているＲＦＩＤタグに記憶されている固有のＩＤであり、図書用タグリーダ９に読み取らせることにより、記憶部２７に記憶可能となっている。この利用者カードは、大学や企業等の図書館であれば、ＲＦＩＤタグを内蔵した学生証や社員証が兼用してもよい。
【００３５】
図８に示すように、記憶部２７に記憶されている貸出予約記憶テーブルには、貸出予約を行った使用者の利用者ＩＤと、使用者が予約端末３１によって予約した図書４を借りる予定の日時である本発明における貸出予定日時情報としての貸出予定日時と、が関連付けられて記憶されている。更に、これら利用者ＩＤと貸出予定日時とに対して、予約端末３１によって貸し出しが予約された、予約図書としての図書４の図書ＩＤと、貸し出しが予約された図書４のタイトルと、がそれぞれ関連付けられて記憶されている。
【００３６】
図９に示すように、記憶部２７に記憶されている返却予約記憶テーブルには、返却予約を行った使用者の利用者ＩＤと、使用者が予約端末３１によって予約した図書４を返却する予定の日時である返却予定日時と、が関連付けられて記憶されている。更に、これら利用者ＩＤと返却予定日時とに対して、予約端末３１によって返却が予約された予約図書としての図書４の図書ＩＤと、返却が予約された図書４のタイトルと、がそれぞれ関連付けられて記憶されている。
【００３７】
管理制御回路２９が予約端末３１から貸出予約または返却予約を受けると、管理制御回路２９は、予約を行った各使用者の利用者ＩＤ毎に、貸出予定日時と予約された図書４の図書ＩＤとタイトルとを分類し、これら貸出予約記憶テーブルまたは返却予約記憶テーブルに記憶させる。つまり、管理制御回路２９は本発明におけるグループ分類手段を構成している。
【００３８】
次に、本実施例における管理制御回路２９が実行する予約図書が収納されている予約コンテナの一時保管処理を図１０に示すフローチャートに基づいて説明する。図１０に示すように、予約コンテナ一時保管処理では、先ず、Ｓａ０１のステップにおいて、管理制御回路２９は、図８に示す貸出予約記憶テーブルを参照して、各図書ＩＤと関連付けられて記憶されている貸出予定日時とＲＴＣ２８によって計時されている現在時刻とを比較してＳａ０２のステップに進む。
【００３９】
Ｓａ０２のステップにおいて、管理制御回路２９は、Ｓａ０１のステップで比較した貸出予定日時と現在時刻とに基づいて、記憶されている貸出予定日時から所定時間（本実施例では１時間）が経過している図書ＩＤがあるか否かを判定する。記憶されている貸出予定日時から所定時間が経過している図書ＩＤがあればＳａ０３のステップに進み、記憶されている貸出予定日時から所定時間が経過している図書ＩＤが無ければＳａ０４のステップに進む。
【００４０】
Ｓａ０３のステップにおいて、管理制御回路２９は、Ｓａ０２のステップにおいて貸出予定日時が所定時間経過している図書ＩＤを有する図書４を収納している予約コンテナを貸出用ロータリーラック１４から閉架書庫３の書棚５に戻す保管取消処理を行う。具体的には、管理制御回路２９は、貸出用ロータリーラック１４の駆動モータ２５を駆動させることによって、貸出予定日時が所定時間経過している図書ＩＤを有する図書４を収納している予約コンテナを貸出用ロータリーラック１４内から取り出す。その後、管理制御回路２９は、コンベア１６と搬送エレベータ１１とを介して予約コンテナを開架書庫２から閉架書庫３に搬送させ、コンベア１２とスタッカークレーン１０によって書棚５の元の収容位置に戻す。
【００４１】
同時に、管理制御回路２９は、図６の蔵書記憶テーブルを参照して、貸出用ロータリーラック１４から閉架書庫３の書棚５に戻された予約コンテナのコンテナＩＤに関連付けられて記憶されているコンテナ状態を『待機』から『閉架』に書き換える。
【００４２】
Ｓａ０４のステップにおいて、管理制御回路２９は、図８に示す貸出予約記憶テーブルを参照して、各図書ＩＤと関連付けられて記憶されている貸出予定日時とＲＴＣ２８によって計時されている現在時刻とを比較してＳａ０５のステップに進む。
【００４３】
Ｓａ０５のステップにおいて、管理制御回路２９は、Ｓａ０４のステップで比較した貸出予定日時と現在時刻とに基づいて、記憶されている貸出予定日時まで所定時間（本実施例では１時間）以内である図書ＩＤがあるか否かを判定する。記憶されている貸出予定日時まで所定時間以内の図書ＩＤがあればＳａ０６のステップに進み、記憶されている貸出予定日時まで所定時間以内の図書ＩＤが無ければＳａ０８のステップに進む。
【００４４】
Ｓａ０６のステップにおいて、管理制御回路２９は、貸出用ロータリーラック１４に空きの収容ユニット２２があるか否かを判定する。貸出用ロータリーラック１４に空きの収容ユニット２２があればＳａ０７のステップに進み、貸出用ロータリーラック１４に空きの収容ユニット２２が無ければＳａ０８のステップに進む。
【００４５】
Ｓａ０７のステップにおいて、管理制御回路２９は、Ｓａ０５のステップにおける貸出予定日時まで所定時間以内の図書ＩＤを有する図書４を収納している予約コンテナを閉架書庫３の書棚５から貸出用ロータリーラック１４に収容する保管処理を行う。具体的には、管理制御回路２９は、スタッカークレーン１０によって書棚５から予約コンテナを取り出す。その後、管理制御回路２９は、コンベア１２と搬送エレベータ１１とを介して予約コンテナを閉架書庫３から開架書庫２に搬送させ、コンベア１６によって貸出用ロータリーラック１４の空いている収容ユニット２２内に収容させる。
【００４６】
同時に、管理制御回路２９は、図６の蔵書記憶テーブルを参照して、閉架書庫３の書棚５から貸出用ロータリーラック１４に収容された予約コンテナのコンテナＩＤに関連付けられて記憶されているコンテナ状態を『閉架』から『待機』に書き換える。
【００４７】
Ｓａ０８のステップにおいて、管理制御回路２９は、図９に示す返却予約記憶テーブルを参照して、各図書ＩＤと関連付けられて記憶されている返却予定日時とＲＴＣ２８によって計時されている現在時刻とを比較してＳａ０９のステップに進む。
【００４８】
Ｓａ０９のステップにおいて、管理制御回路２９は、Ｓａ０８のステップで比較した返却予定日時と現在時刻とに基づいて、記憶されている返却予定日時から所定時間（本実施例では１時間）が経過している図書ＩＤがあるか否かを判定する。記憶されている返却予定日時から所定時間が経過している図書ＩＤがあればＳａ１０のステップに進み、記憶されている返却予定日時から所定時間が経過している図書ＩＤが無ければＳａ１１のステップに進む。
【００４９】
Ｓａ１０のステップにおいて、管理制御回路２９は、Ｓａ０９のステップにおいて返却予定日時が所定時間経過している図書ＩＤを有する図書４が収納される予約コンテナを返却用ロータリーラック１５から閉架書庫３の書棚５に戻す保管取消処理を行う。具体的には、管理制御回路２９は、返却用ロータリーラック１５の駆動モータ２５を駆動させることによって、返却予定日時が所定時間経過している図書ＩＤを有する図書４が収納される予約コンテナを返却用ロータリーラック１５内から取り出す。その後、管理制御回路２９は、コンベア１６と搬送エレベータ１１とを介して予約コンテナを開架書庫２から閉架書庫３に搬送させ、コンベア１２とスタッカークレーン１０によって書棚５の元の収容位置に戻す。
【００５０】
同時に、管理制御回路２９は、図６の蔵書記憶テーブルを参照して、返却用ロータリーラック１５から閉架書庫３の書棚５に戻された予約コンテナのコンテナＩＤに関連付けられて記憶されているコンテナ状態を『待機』から『閉架』に書き換える。
【００５１】
Ｓａ１１のステップにおいて、管理制御回路２９は、図９に示す返却予約記憶テーブルを参照して、各図書ＩＤと関連付けられて記憶されている返却予定日時とＲＴＣ２８によって計時されている現在時刻とを比較してＳａ０５のステップに進む。
【００５２】
Ｓａ１２のステップにおいて、管理制御回路２９は、Ｓａ１１のステップで比較した返却予定日時と現在時刻とに基づいて、記憶されている返却予定日時まで所定時間（本実施例では１時間）以内である図書ＩＤがあるか否かを判定する。記憶されている返却予定日時まで所定時間以内の図書ＩＤがあればＳａ１３のステップに進み、記憶されている返却予定日時まで所定時間以内の図書ＩＤが無ければ予約コンテナの一時保管処理を終了する。
【００５３】
Ｓａ１３のステップにおいて、管理制御回路２９は、返却用ロータリーラック１５に空きの収容ユニット２２があるか否かを判定する。返却用ロータリーラック１５に空きの収容ユニット２２があればＳａ１４のステップに進み、貸出用ロータリーラック１４に空きの収容ユニット２２が無ければ予約コンテナの一時保管処理を終了する。
【００５４】
Ｓａ１４のステップにおいて、管理制御回路２９は、Ｓａ１２のステップにおける返却予定日時まで所定時間以内の図書ＩＤを有する図書４を収納している予約コンテナを閉架書庫３の書棚５から返却用ロータリーラック１５に収容する保管処理を行う。具体的には、管理制御回路２９は、スタッカークレーン１０によって書棚５から予約コンテナを取り出す。その後、管理制御回路２９は、コンベア１２と搬送エレベータ１１とを介して予約コンテナを閉架書庫３から開架書庫２に搬送させ、コンベア１６によって返却用ロータリーラック１５の空いている収容ユニット２２内に収容させる。
【００５５】
同時に、管理制御回路２９は、図６の蔵書記憶テーブルを参照して、閉架書庫３の書棚５から返却用ロータリーラック１５に収容された予約コンテナのコンテナＩＤに関連付けられて記憶されているコンテナ状態を『閉架』から『待機』に書き換えて予約コンテナの一時保管処理を終了する。
【００５６】
次に、本実施例における管理制御回路２９が実行する図書４の貸出処理及び返却処理を図１１に示すフローチャートに基づいて説明する。図１１に示すように、図書４の貸出処理及び返却処理では、先ず、Ｓｂ０１のステップにおいて、管理制御回路２９は、図１２に示すように、ディスプレイ２０に図書４の貸出処理及び返却処理の初期画面としての、使用者が貸出と返却の処理を選択する選択画面を表示させてＳｂ０２のステップに進む。
【００５７】
Ｓｂ０２のステップにおいて、管理制御回路２９は、使用者がタッチパネル２１を操作して選択画面から貸出処理が選択されたか否かを判定する。選択画面から貸出処理が選択されていればＳｂ０３のステップに進み、選択画面から貸出処理が選択されていなければＳｂ１７のステップに進む。
【００５８】
Ｓｂ０３のステップにおいて、管理制御回路２９は、使用者の図示しない利用者カードから利用者ＩＤを読み取る利用者カード読取処理を行う。具体的には、管理制御回路２９は、使用者に図示しない利用者カードを図書用タグリーダ９に近づけさせる。そして、図書用タグリーダ９に、利用者カード内に内蔵されているＲＦＩＤタグに記憶されている利用者ＩＤを読み取らせてＳｂ０４に進む。
【００５９】
Ｓｂ０４のステップにおいて、管理制御回路２９は、コンテナ６をステーション１３まで搬送させる予約コンテナ呼出処理を実行する。具体的には、管理制御回路２９は、Ｓｂ０３のステップで読み取った利用者ＩＤに基づいて、図８に示す貸出予約記憶テーブルを参照し、貸出予約がなされている予約図書の図書ＩＤを特定する。更に、貸出予約記憶テーブルを参照して特定した図書ＩＤに基づいて図６に示す蔵書記憶テーブルを参照し、予約図書が収納されている予約コンテナを特定する。このとき、図１３に示すように、管理制御回路２９は、ディスプレイ２０に予約図書を表示させて使用者に確認させた後、使用者にコンテナ呼出操作を選択させて、予約コンテナを呼び出す。
【００６０】
この予約コンテナが貸出用ロータリーラック１４内に収容されている場合には、管理制御回路２９は、貸出用ロータリーラック１４の駆動モータ２５を駆動させ、予約コンテナをコンベア１２によってステーション１３に搬送させてＳｂ０５のステップに進む。
【００６１】
予約コンテナが閉架書庫３の書棚５に収容されている場合には、管理制御回路２９は、スタッカークレーン１０によって予約コンテナを取り出し、取り出した予約コンテナをコンベア１２と、搬送エレベータ１１と、コンベア１６と、によってステーション１３に搬送させてＳｂ０５のステップに進む。
【００６２】
Ｓｂ０５のステップにおいて、管理制御回路２９は、予約図書を使用者に貸し出す貸出予約図書貸出処理を実行する。具体的には、管理制御回路２９は、ディスプレイ２０に使用者にステーション１３に搬送された予約コンテナから予約図書を取り出させる旨の表示を行い、使用者が予約コンテナから取り出した予約図書のＲＦＩＤタグ７を図書用タグリーダ９によって読み取らせる。このとき、管理制御回路２９は読み取った図書ＩＤを基に図６に示す蔵書記憶テーブルを参照して、図書ＩＤに関連付けられている予約図書を特定し、図書ＩＤとコンテナＩＤとをタイトルをディスプレイ２０に表示させる。
【００６３】
そして、管理制御回路２９は、図６に示す蔵書記憶テーブルを参照して、予約図書の貸出状態を『在』または『貸出予約』から『貸出』に書き換えるとともに、図７に示す貸出記憶テーブルを参照して、利用者ＩＤに対してコンテナＩＤと、図書ＩＤと、予約図書のタイトルと、貸し出しを行った貸出日と、を関連付けて記憶させてＳｂ０６のステップに進む。
【００６４】
Ｓｂ０６のステップにおいて、管理制御回路２９は、図８に示す貸出予約記憶テーブルを参照して、Ｓｂ０５のステップにおいて貸出処理した予約図書と、貸出予約記憶テーブルに記憶されている図書ＩＤと、を比較してＳｂ０７のステップに進む。
【００６５】
Ｓｂ０７のステップにおいて、管理制御回路２９は、Ｓｂ０５のステップにおいて貸出処理した予約図書と、貸出予約記憶テーブルに記憶されている図書ＩＤと、が一致するか否かを判定する。Ｓｂ０５のステップにおいて貸出処理した予約図書と、貸出予約記憶テーブルに記憶されている図書ＩＤと、が一致していればＳｂ０８のステップに進み、Ｓｂ０５のステップにおいて貸出処理した予約図書と、貸出予約記憶テーブルに記憶されている図書ＩＤと、が一致していなければＳｂ１２のステップに進む。
【００６６】
Ｓｂ１２のステップにおいて、管理制御回路２９は、予約コンテナ内にまだ予約図書が収納されていると判断して、図１４に示すように、ディスプレイ２０に予約図書の貸出確認画面を表示させて使用者に予約図書の貸し出しを行うか否かを判断させて、Ｓｂ１３のステップに進む。
【００６７】
Ｓｂ１３のステップにおいて、管理制御回路２９は、使用者がタッチパネル２１を操作することによって予約図書の貸し出しを行うか否かを判定する。使用者が予約図書の貸し出しを行うのであればＳｂ０５のステップに進み、使用者が予約図書の貸し出しを行わないのであればＳｂ１４のステップに進む。
【００６８】
Ｓｂ１４のステップにおいて、管理制御回路２９は、予約コンテナ内に収納されている予約図書の貸出予約を取り消す貸出予約取消処理を実行する。具体的には、管理制御回路２９は、先ず、図６に示す蔵書記憶テーブルを参照して、予約コンテナ内に収納されている予約図書の貸出状態を『貸出予約』から『在』に書き換えるとともに、図８に示す貸出予約記憶テーブルを参照して、この予約図書の図書ＩＤとタイトルを削除してＳｂ０８のステップに進む。
【００６９】
Ｓｂ０８のステップにおいて、管理制御回路２９は、使用者がタッチパネル２１を操作して、予約コンテナ内から追加で図書４の貸出を行う追加貸出入力があったか否かを判定する。追加貸出入力があればＳｂ１５のステップに進み、追加貸出入力が無ければＳｂ０９のステップに進む。
【００７０】
Ｓｂ１５のステップにおいて、管理制御回路２９は、Ｓｂ０８のステップにおいて入力がなされた追加貸出によって予約コンテナに収納されている図書４の貸出予約外図書貸出処理を実行する。具体的には、管理制御回路２９は、図１５に示すように、ディスプレイ２０に使用者にステーション１３に搬送された予約コンテナから予約外図書を取り出させる旨の表示を行い、使用者が予約コンテナから取り出した予約外図書のＲＦＩＤタグ７を図書用タグリーダ９によって読み取らせる。このとき、管理制御回路２９は、読み取った図書ＩＤを基に図６に示す蔵書記憶テーブルを参照して、図書ＩＤに関連付けられている予約図書を特定し、図書ＩＤとコンテナＩＤとをタイトルをディスプレイ２０に表示させる。
【００７１】
そして、タッチパネル２１から使用者が貸出終了操作をすることを条件に、管理制御回路２９は、図６に示す蔵書記憶テーブルを参照して、追加貸出する図書４の貸出状態を『在』から『貸出』に書き換え、図７に示す貸出記憶テーブルを参照して、利用者ＩＤに対してコンテナＩＤと、追加貸出する図書４の図書ＩＤと、図書４のタイトルと、貸出日と、を関連付けて記憶させてＳｂ０９のステップに進む。
【００７２】
Ｓｂ０９のステップにおいて、管理制御回路２９は、コンテナ用タグリーダ８によって予約コンテナ内に収納されている図書４の図書ＩＤを読み取る予約コンテナ読取処理を実行する。具体的には、管理制御回路２９は、コンベア１６を駆動させることによって、予約コンテナをコンテナ用タグリーダ８の近傍を通過させる。このとき、コンテナ用タグリーダ８に予約コンテナ内の図書４の図書ＩＤを読み取らせる。そして、管理制御回路２９は、図６に示す蔵書記憶テーブルと図７に示す貸出記憶テーブルを参照して、予約コンテナ内で読み取られた図書ＩＤと、貸出処理を行った図書４の図書ＩＤとを比較してＳｂ１０のステップに進む。
【００７３】
Ｓｂ１０のステップにおいて、管理制御回路２９は、Ｓｂ０９のステップにおいて予約コンテナ内で読み取られなかった図書ＩＤと、貸出処理を行った図書４の図書ＩＤと、が一致するか否かを判定する。予約コンテナ内で読み取られなかった図書ＩＤと、貸出処理を行った図書４の図書ＩＤと、が一致すればＳｂ１１のステップに進み、予約コンテナ内で読み取られなかった図書ＩＤと、貸出処理を行った図書４の図書ＩＤと、が一致しなければＳｂ１６のステップに進む。
【００７４】
Ｓｂ１６のステップにおいて、管理制御回路２９は、予約コンテナ内で読み取られなかった図書ＩＤと、貸出処理を行った図書４の図書ＩＤと、が一致していなかったと判断して、読取エラー報知処理を実行する。具体手には、管理制御回路２９は、ディスプレイに予約コンテナ内で読み取られなかった図書ＩＤと、貸出処理を行った図書４の図書ＩＤと、が一致しなかった旨を表示させるとともに、管理装置２６の記憶部２７に予約コンテナ内で読み取られなかった図書ＩＤと、貸出処理を行った図書４の図書ＩＤと、が一致しなかった旨を記憶させてＳｂ１１の処理に進む。
【００７５】
Ｓｂ１１のステップにおいて、管理制御回路２９は、貸出処理が終了したと判断して、コンベア１６と、搬送エレベータ１１と、コンベア１２とスタッカークレーン１０によって予約コンテナを閉架書庫３の書棚５に戻す、予約コンテナ戻し処理を実行して処理を終了する。
【００７６】
Ｓｂ１７のステップにおいて、管理制御回路２９は、使用者の図示しない利用者カードから利用者ＩＤを読み取る利用者カード読取処理を行う。具体的には、管理制御回路２９は、使用者に図示しない利用者カードを図書用タグリーダ９に近づけさせる。そして、図書用タグリーダ９に、利用者カード内に内蔵されているＲＦＩＤタグに記憶されている利用者ＩＤを読み取らせてＳｂ１８に進む。
【００７７】
Ｓｂ１８のステップにおいて、管理制御回路２９は、コンテナ６をステーション１３まで搬送させる予約コンテナ呼出処理を実行する。具体的には、管理制御回路２９は、Ｓｂ０３のステップで読み取った利用者ＩＤに基づいて、図８に示す返却予約記憶テーブルを参照し、返却予約がなされている予約図書の図書ＩＤを特定する。更に、返却予約記憶テーブルを参照して特定した図書ＩＤに基づいて図６に示す蔵書記憶テーブルを参照し、予約図書が収納されている予約コンテナを特定する。このとき、図１６に示すように、管理制御回路２９は、ディスプレイ２０に予約図書を表示させて使用者に確認させた後、使用者にコンテナ呼出操作を選択させて、予約コンテナを呼び出す。
【００７８】
この予約コンテナが返却用ロータリーラック１５内に収容されている場合には、管理制御回路２９は、返却用ロータリーラック１５の駆動モータ２５を駆動させ、予約コンテナをコンベア１２によってステーション１３に搬送させてＳｂ１９のステップに進む。
【００７９】
予約コンテナが閉架書庫３の書棚５に収容されている場合には、管理制御回路２９は、スタッカークレーン１０によって予約コンテナを取り出し、取り出した予約コンテナをコンベア１２と、搬送エレベータ１１と、コンベア１６と、によってステーション１３に搬送させてＳｂ１９のステップに進む。
【００８０】
Ｓｂ１９のステップにおいて、管理制御回路２９は、予約図書の使用者からの返却を受け付ける返却予約図書貸出処理を実行する。具体的には、管理制御回路２９は、図１６に示すように、使用者に予約図書のＲＦＩＤタグ７を図書用タグリーダ９によって読み取らせる旨の表示を行い、ステーション１３に搬送された予約コンテナに予約図書を収納させる。このとき、管理制御回路２９は読み取った図書ＩＤを基に図６に示す蔵書記憶テーブルを参照して、図書ＩＤに関連付けられている予約図書を特定し、図書ＩＤとコンテナＩＤとをタイトルをディスプレイ２０に表示させる。
【００８１】
そして、管理制御回路２９は、図６に示す蔵書記憶テーブルを参照して、予約図書の貸出状態を『貸出』または『返却予約』から『在』に書き換えるとともに、図８に示す貸出記憶テーブルを参照して、利用者ＩＤに対して関連付けられて記憶されているコンテナＩＤと、図書ＩＤと、予約図書のタイトルと、貸し出しを行った貸出日と、削除してＳｂ０６のステップに進む。
【００８２】
Ｓｂ２０のステップにおいて、管理制御回路２９は、図９に示す返却予約記憶テーブルを参照して、Ｓｂ１９のステップにおいて返却処理した予約図書と、返却予約記憶テーブルに記憶されている図書ＩＤと、を比較してＳｂ２１のステップに進む。
【００８３】
Ｓｂ２１のステップにおいて、管理制御回路２９は、Ｓｂ１９のステップにおいて返却処理した予約図書と、返却予約記憶テーブルに記憶されている図書ＩＤと、が一致するか否かを判定する。Ｓｂ１９のステップにおいて返却処理した予約図書と、返却予約記憶テーブルに記憶されている図書ＩＤと、が一致していればＳｂ２２のステップに進み、Ｓｂ１９のステップにおいて返却処理した予約図書と、返却予約記憶テーブルに記憶されている図書ＩＤと、が一致していなければＳｂ２６のステップに進む。
【００８４】
Ｓｂ２６のステップにおいて、管理制御回路２９は、予約コンテナ内にまだ予約図書が収納されていると判断して、図１７に示すように、ディスプレイ２０に予約図書の返却確認画面を表示させて使用者に予約図書の返却を行うか否かを判断させて、Ｓｂ２７のステップに進む。
【００８５】
Ｓｂ２７のステップにおいて、管理制御回路２９は、使用者がタッチパネル２１を操作することによって予約図書の返却を行うか否かを判定する。使用者が予約図書の返却を行うのであればＳｂ１９のステップに進み、使用者が予約図書の返却を行わないのであればＳｂ２８のステップに進む。
【００８６】
Ｓｂ２８のステップにおいて、管理制御回路２９は、予約コンテナ内に収納されている予約図書の返却予約を取り消す返却予約取消処理を実行する。具体的には、管理制御回路２９は、先ず、図６に示す蔵書記憶テーブルを参照して、予約コンテナ内に収納されている予約図書の貸出状態を『返却予約』から『貸出』に書き換えるとともに、図９に示す返却予約記憶テーブルを参照して、この予約図書の図書ＩＤとタイトルを削除してＳｂ０８のステップに進む。
【００８７】
Ｓｂ２２のステップにおいて、管理制御回路２９は、使用者がタッチパネル２１を操作して、予約コンテナ内に追加で図書４の返却を行う追加返却入力があったか否かを判定する。追加返却入力があればＳｂ２９のステップに進み、追加貸出入力が無ければＳｂ２３のステップに進む。
【００８８】
Ｓｂ２９のステップにおいて、管理制御回路２９は、Ｓｂ２２のステップにおいて入力がなされた追加返却によって予約コンテナに収納されている図書４の返却予約外図書返却処理を実行する。具体的には、管理制御回路２９は、図１８に示すように、ディスプレイ２０に使用者に予約コンテナに収納する予約外図書のＲＦＩＤタグ７を図書用タグリーダ９によって読み取らせる旨の表示を行い、ステーション１３に搬送された予約コンテナに予約外図書を収納させる。このとき、管理制御回路２９は、読み取った図書ＩＤを基に図６に示す蔵書記憶テーブルを参照して、図書ＩＤに関連付けられている予約図書を特定し、図書ＩＤとコンテナＩＤとをタイトルをディスプレイ２０に表示させる。
【００８９】
そして、タッチパネル２１から使用者が返却終了操作をすることを条件に、管理制御回路２９は、図６に示す蔵書記憶テーブルを参照して、追加返却された図書４の貸出状態を『貸出』または『返却予約』から『在』に書き換え、図７に示す貸出記憶テーブルを参照して、利用者ＩＤに関連付けられて記憶されている、コンテナＩＤと、追加返却された図書４の図書ＩＤと、図書４のタイトルと、貸出日と、削除してＳｂ２３のステップに進む。
【００９０】
Ｓｂ２３のステップにおいて、管理制御回路２９は、コンテナ用タグリーダ８によって予約コンテナ内に収納されている図書４の図書ＩＤを読み取る予約コンテナ読取処理を実行する。具体的には、管理制御回路２９は、コンベア１６を駆動させることによって、予約コンテナをコンテナ用タグリーダ８の近傍を通過させる。このとき、コンテナ用タグリーダ８に予約コンテナ内の図書４の図書ＩＤを読み取らせる。そして、管理制御回路２９は、図６に示す蔵書記憶テーブルと図７に示す貸出記憶テーブルを参照して、予約コンテナ内で読み取られた図書ＩＤと、返却処理を行った図書４の図書ＩＤとを比較してＳｂ２４のステップに進む。
【００９１】
Ｓｂ２４のステップにおいて、管理制御回路２９は、返却処理を行った図書４の図書ＩＤが、Ｓｂ２３のステップにおいて予約コンテナ内で読み取られているか否かを判定する。返却処理を行った図書４の図書ＩＤが、Ｓｂ２３のステップにおいて予約コンテナ内で読み取られていればＳｂ２５のステップに進み、返却処理を行った図書４の図書ＩＤが、Ｓｂ２３のステップにおいて予約コンテナ内で読み取られていなければＳｂ３０のステップに進む。
【００９２】
Ｓｂ３０のステップにおいて、管理制御回路２９は、返却処理を行った図書４の図書ＩＤが、Ｓｂ２３のステップにおいて予約コンテナ内で読み取られていなかったと判断して、読取エラー報知処理を実行する。具体手には、管理制御回路２９は、ディスプレイに予約コンテナ内で読み取られなかった図書ＩＤと、貸出処理を行った図書４の図書ＩＤと、が一致しなかった旨を表示させるとともに、管理装置２６の記憶部２７に返却処理を行った図書４の図書ＩＤと、Ｓｂ２３のステップにおいて予約コンテナ内で読み取られた図書ＩＤと、が一致しなかった旨を記憶させてＳｂ２５の処理に進む。
【００９３】
Ｓｂ２５のステップにおいて、管理制御回路２９は、貸出処理が終了したと判断して、コンベア１６と、搬送エレベータ１１と、コンベア１２とスタッカークレーン１０によって予約コンテナを閉架書庫３の書棚５に戻す、予約コンテナ戻し処理を実行して処理を終了する。
【００９４】
前述したように、管理制御回路２９とディスプレイ２０は、本発明における取出指示手段と、追加取出指示手段と、返却指示手段と、追加返却指示手段と、貸出取消指示手段と、を構成している。
【００９５】
尚、Ｓｂ１６とＳｂ２９で読取エラー報知処理がなされた場合は、使用者は図書館の司書等に読取エラー報知処理が発生した旨を説明することによって、司書に直接管理装置２６を操作させて、貸出処理または返却処理の修正作業を行わせるようにするのが望ましい。
【００９６】
以上、本実施例における図書保管管理システム１では、管理装置２６は、図書４の予約を受け付ける予約端末３１と、予約端末３１で受け付けた予約者毎の予約図書を所定のグループに分類する管理制御回路２９を有し、閉架書庫３とステーション１３との間のコンテナ搬送経路であるコンベア１６上には、コンテナ６を収容可能な収容ユニット２２を複数備えた貸出用ロータリーラック１４及び返却用ロータリーラック１５を設け、管理装置２６は、グループに分類した予約図書が収容されているコンテナ６を、収容ユニット２２に一時保管することによって、予めステーション１３の近傍まで予約図書を搬送して、予約者毎に予約図書が収容されているコンテナ６を収容ユニット２２内に収容しておくことによって、予約者毎にコンテナ６を確実に纏めて貸出用ロータリーラック１４または返却用ロータリーラック１５に一時保管することができるので、コンテナ６を収容ユニット２２からステーション１３に搬送するまでの時間を短縮でき、予約者毎に効率よく図書４の貸し出しを行うことができる。
【００９７】
また、貸出用ロータリーラック１４及び返却用ロータリーラック１５は、収容ユニット２２を上下方向に循環回動するように支持しているので、コンテナ６を収容する収容ユニット２２を上下方向に循環回動することができるので、収容ユニット２２を水平方向に配置するよりも小さい占有面積で貸出用ロータリーラック１４及び返却用ロータリーラック１５を設けることができるばかりでなく、所望のコンテナ６を循環回動させて直ちに搬送位置まで移送することができる。
【００９８】
また、管理装置２６は、予約者毎の予約図書の貸し出し予定日時を入力する貸出予定日時情報を記憶可能であり、管理装置２６は、貸出予定日時情報に基づいてコンテナ６を収容ユニット２２に一時保管することによって、常に収容ユニット２２内に貸出予定日時に応じたコンテナ６を収容して、予約者への予約図書の貸し出しを効率化することができ、返却済みの図書４や貸出予定日時を経過した予約図書の収容されているコンテナ６を閉架書庫３に戻すことで、次の予約に備えることができる。
【００９９】
また、ステーション１３の近傍には、少なくとも貸出用ロータリーラック１４及び返却用ロータリーラック１５と管理装置２６とが設けられていることによって、使用者はステーション１３で管理装置２６の入力手段であるタッチパネル２１を操作して予約図書の貸出作業を行うことができる。
【０１００】
以上、本発明の実施例を図面により説明してきたが、具体的な構成はこれら実施例に限られるものではなく、本発明の要旨を逸脱しない範囲における変更や追加があっても本発明に含まれる。
【０１０１】
例えば、前記実施例では、貸出用ロータリーラック１４及び返却用ロータリーラック１５を、複数の収容ユニット２２を上下方向に循環回動可能に収容させたが、貸出用ロータリーラック１４及び返却用ロータリーラック１５は、複数の収容ユニット２２を水平方向に循環回動可能に収容させてもよい。
【０１０２】
また、前記実施例では、返却予約がなされた予約図書の返却の後に、予約コンテナに追加返却で予約外図書を返却するようにしたが、追加返却をおこなう予約外図書が予約コンテナ以外のコンテナ６に収容される図書である場合には、予約コンテナ搬送処理をした後、予約外図書を返却するコンテナ６をステーション１３に搬送させるようにしてもよい。
【０１０３】
また、前記実施例では、移動棚を図書４を貸し出すためにコンテナ６を一時保管するように用いる貸出用ロータリーラック１４と、使用者から図書４の返却を受け付けるためにコンテナ６を一時保管するように用いる返却用ロータリーラック１５として説明したが、図書館の規模が大きい場合には、これら貸出用ロータリーラック１４と返却用ロータリーラック１５とを複数台ずつ備えてもよい。
【０１０４】
また、前記実施例では、移動棚を図書４を貸し出すためにコンテナ６を一時保管するように用いる貸出用ロータリーラック１４と、使用者から図書４の返却を受け付けるためにコンテナ６を一時保管するように用いる返却用ロータリーラック１５として説明したが、一台のロータリーラックを、貸出用ロータリーラックと返却用ロータリーラックとの機能を兼用させてもよい。
【図面の簡単な説明】
【０１０５】
【図１】本発明の実施例における図書保管管理システムの全体像を示す側面図である。
【図２】ステーションを示す斜視図である。
【図３】ステーションを示す平面図である。
【図４】ロータリーラックの構成を示す概略図である。
【図５】図書保管管理システムの構成を示すブロック図である。
【図６】蔵書記憶テーブルを示す図である。
【図７】貸出記憶テーブルを示す図である。
【図８】貸出予約記憶テーブルを示す図である。
【図９】返却予約記憶テーブルを示す図である。
【図１０】管理制御回路で行われる予約コンテナ一時保管処理フローチャートである。
【図１１】管理制御回路で行われる貸出処理及び返却処理のフローチャートである。
【図１２】ディスプレイに表示される貸出処理及び返却処理の初期画面を示す図である。
【図１３】ディスプレイに表示される貸出予約図書の貸出画面を示す図である。
【図１４】ディスプレイに表示される貸出予約図書の貸出確認画面を示す図である。
【図１５】ディスプレイに表示される貸出予約外図書の貸出画面を示す図である。
【図１６】ディスプレイに表示される返却予約図書の返却画面を示す図である。
【図１７】ディスプレイに表示される返却予約図書の貸出確認画面を示す図である。
【図１８】ディスプレイに表示される返却予約外図書の返却画面を示す図である。
【符号の説明】
【０１０６】
１                図書保管管理システム
２                開架書庫
３                閉架書庫
４                図書
５                書棚
６                コンテナ
１３              ステーション
１４              貸出用ロータリーラック（移動棚）
１５              返却用ロータリーラック（移動棚）
２０              ディスプレイ（取出指示手段，追加取出指示手段，返却指示手段，追加返却指示手段，貸出取消指示手段）
２１              タッチパネル
２２              収容ユニット
２６              管理装置
２７              記憶部
２８              ＲＴＣ
２９              管理制御回路（グループ分類手段，取出指示手段，追加取出指示手段，返却指示手段，追加返却指示手段，貸出取消指示手段）
３１              予約端末（予約受付手段）
【図１】
2010149995.tif 000003
【図２】
2010149995.tif 000004
【図３】
2010149995.tif 000005
【図４】
2010149995.tif 000006
【図５】
2010149995.tif 000007
【図６】
2010149995.tif 000008
【図７】
2010149995.tif 000009
【図８】
2010149995.tif 000010
【図９】
2010149995.tif 000011
【図１０】
2010149995.tif 000012
【図１１】
2010149995.tif 000013
【図１２】
2010149995.tif 000014
【図１３】
2010149995.tif 000015
【図１４】
2010149995.tif 000016
【図１５】
2010149995.tif 000017
【図１６】
2010149995.tif 000018
【図１７】
2010149995.tif 000019
【図１８】
2010149995.tif 000020